(57)【要約】    【課題】被看護者から看護者への呼び出しが正常に行われたこと、看護者により応答が行われたことをそれぞれ呼出握りボタンの触覚によって被看護者に容易に確認させる。    【解決手段】被看護者から看護者への呼び出しが正常に行われたことを、呼出検出した廊下灯２０ａ、２０ｂ、・・・、ナースコール親機３０およびナースコール制御機４０のうち何れか１つからの制御により呼出操作が行われた呼出握りボタン１ａ〜４ａ、１ｂ〜４ｂ、・・・に内蔵された振動モータ１００を駆動して被看護者に触覚によって容易に確認させる。また、被看護者から看護者へと呼び出しが報知され、これを確認した看護者がナースコール親機にて応答したことを、応答検出した廊下灯、ナースコール親機およびナースコール制御機のうち何れか１つからの制御により呼出握りボタンに内蔵された振動モータを呼出確認のための振動パターンとは異なる振動パターンで駆動して被看護者に触覚によって容易に確認させる。  【選択図】図１
2006026293.tif 000002
【特許請求の範囲】
【請求項１】
被看護者から看護者を呼び出すための呼出握りボタン（１ａ〜４ａ、１ｂ〜４ｂ、・・・）と、前記呼出握りボタンからの呼び出しを検出し、表示灯（２００）を点滅または点灯して前記看護者に知らせるための廊下灯（２０ａ、２０ｂ、・・・）と、前記廊下灯にて検出された前記呼出握りボタンからの呼び出しを前記看護者に報知するためのナースコール親機（３０）と、前記廊下灯、前記ナースコール親機をそれぞれ制御するためのナースコール制御機（４０）とを備え、
前記呼出握りボタンには、前記廊下灯、前記ナースコール親機および前記ナースコール制御機のうち何れか１つにおける前記呼び出しの検出に応じて発生される呼出確認信号で駆動される振動モータ（１００）を内蔵したことを特徴とするナースコール装置。
【請求項２】
前記ナースコール親機で前記呼び出しに応答したとき、前記廊下灯、前記ナースコール親機および前記ナースコール制御機のうち何れか１つにおける前記応答の検出に応じて発生される応答確認信号で駆動され、前記呼出確認信号での駆動パターンとは異なる駆動パターンで前記振動モータを駆動することを特徴とする請求項１記載のナースコール装置。
【請求項３】
前記ナースコール親機にて設定される看護勤務帯のうち日勤時に前記廊下灯、前記ナースコール親機および前記ナースコール制御機のうち何れか１つにおける前記呼び出しの検出に応じて発生される呼出確認信号により呼出確認音としてスピーカ（１１１、５１１）から出力し、夜勤時に前記振動モータを前記呼出確認信号で駆動することを特徴とする請求項１または請求項２記載のナースコール装置。
【発明の詳細な説明】
【技術分野】
【０００１】
本発明は病院や老人福祉施設等の施設内に設置されるナースコール装置に係り、特に、被看護者により呼出操作が行われる呼出握りボタンに呼出確認機能および応答確認機能を備えたナースコール装置に関する。
【背景技術】
【０００２】
従来から、病院や老人福祉施設等の施設内において、病室内の被看護者が看護者に対して通常のナースコール呼び出し、トイレ介助を要するトイレ呼び出し、点滴の投与に関する不具合や終了を知らせる場合や前述の被看護者の近傍に居る看護者が他の看護者に対して支援を求めるようなスタッフコール等の緊急呼び出しを行う場合、呼出種別毎で異なる所定の呼出操作を行うにあたり使用される呼出機器として、呼出握りボタン、または当該呼出握りボタンと一体的に形成されたハンド子機が好適とされ、これら何れかの呼出機器を病室内の各ベッド、所定の位置として、病室内の壁面や当該壁面等に設けられた病室コンソール（メディカルコンソール）の何れかに固定されるプレート子機に接続させていた（例えば、特許文献１、非特許文献１をそれぞれ参照）。
【０００３】
【特許文献１】特開平８−１７３４８７号公報（段落番号００１０〜００１８、図１）
【非特許文献１】アイホン総合カタログ  ２００４／２００５年版（３６８〜３６９頁、３８０〜３８４頁等）
【発明の開示】
【発明が解決しようとする課題】
【０００４】
しかしながら、従来例の呼出機器として適用された呼出握りボタンには、呼出種別毎で異なる操作機能のみが備えられており、被看護者から看護者への呼び出しが正常に行われたことを被看護者が呼出握りボタンを使用して確認できなかった。
【０００５】
本発明は、前述の難点を解消するためになされたもので、被看護者から看護者への呼び出しが正常に行われたこと、看護者により応答が行われたことをそれぞれ呼出握りボタンの触覚によって被看護者に容易に確認させることができるナースコール装置を提供することを目的としている。
【課題を解決するための手段】
【０００６】
前述の目的を達成するため、本発明のナースコール装置は、被看護者から看護者を呼び出すための呼出握りボタンと、呼出握りボタンからの呼び出しを検出し、表示灯を点滅または点灯して看護者に知らせるための廊下灯と、廊下灯にて検出された呼出握りボタンからの呼び出しを看護者に報知するためのナースコール親機と、廊下灯、ナースコール親機をそれぞれ制御するためのナースコール制御機とを備えており、呼出握りボタンには、廊下灯、ナースコール親機およびナースコール制御機のうち何れか１つにおける呼び出しの検出に応じて発生される呼出確認信号で駆動される振動モータを内蔵している。
【０００７】
また、本発明のナースコール装置は、ナースコール親機で呼び出しに応答したとき、廊下灯、ナースコール親機およびナースコール制御機のうち何れか１つにおける応答の検出に応じて発生される応答確認信号で駆動され、呼出確認信号での振動パターンとは異なる振動パターンで振動モータを駆動するものである。
【０００８】
また、本発明のナースコール装置は、ナースコール親機にて設定される看護勤務帯のうち日勤時に廊下灯、ナースコール親機およびナースコール制御機のうち何れか１つにおける呼び出しの検出に応じて発生される呼出確認信号により呼出確認音としてスピーカから出力し、夜勤時に振動モータを呼出確認信号で駆動するものである。
【発明の効果】
【０００９】
本発明のナースコール装置によれば、被看護者から看護者への呼び出しが正常に行われたことを、呼出検出した廊下灯、ナースコール親機およびナースコール制御機のうち何れか１つからの制御により呼出操作が行われた呼出握りボタンに内蔵された振動モータを駆動して被看護者に触覚によって容易に確認させることができる。
【００１０】
また、本発明のナースコール装置によれば、被看護者から看護者へと呼び出しが報知され、これを確認した看護者がナースコール親機にて応答したことを、応答検出した廊下灯、ナースコール親機およびナースコール制御機のうち何れか１つからの制御により呼出握りボタンに内蔵された振動モータを呼出確認のための振動パターンとは異なる振動パターンで駆動して被看護者に触覚によって容易に確認させることができる。
【００１１】
さらに、本発明のナースコール装置によれば、ナースコール親機にて看護勤務帯の設定が行われ、この設定が日勤時の場合には、被看護者から看護者への呼び出しが正常に行われたことを、呼出検出した廊下灯、ナースコール親機およびナースコール制御機のうち何れか１つからの制御により呼出確認音としてスピーカから出力させて被看護者に聴覚によって容易に確認させることができる。一方、看護勤務帯の設定が夜勤時の場合には、被看護者から看護者への呼び出しが正常に行われたことを、呼出検出した廊下灯、ナースコール親機およびナースコール制御機のうち何れか１つからの制御により呼出握りボタンに内蔵された振動モータを駆動して被看護者に触覚によって容易に確認させることができる。
【発明を実施するための最良の形態】
【００１２】
以下、本発明のナースコール装置を適用した最良の実施の形態例について、図面を参照して説明する。
【００１３】
図１は、本発明の実施例によるナースコール装置の構成例を示すシステム説明図である。
【００１４】
図１のシステム説明図に示すナースコール装置は、病院や老人福祉施設等の施設内において、「Ａ号室」、「Ｂ号室」、・・・のような病室内の被看護者、例えば、病室内の患者が、看護者、例えば、ナースステーション内に在室中の看護師（以下、在室看護師という。）に対して通常のナースコール呼び出し、トイレ介助を要するトイレ呼び出し、点滴の投与に関する不具合や終了を知らせる場合や前述の患者の近傍に居る看護者（以下、病室先看護師という。）が他の看護師に対して支援を求めるようなスタッフコール等の緊急呼び出しを行う場合に、呼出種別毎で異なる所定の呼出操作が行われる複数台の呼出握りボタン、ここでは、病室毎４台ずつの呼出握りボタン１ａ〜４ａ、１ｂ〜４ｂ、・・・と、病室内の各ベッド、所定の位置として、病室内の壁面や当該壁面等に設けられた病室コンソール（メディカルコンソール）の何れかに固定され個別の子機番号（詳述せず）を有しており、前述の呼出握りボタン１ａ〜４ａ、１ｂ〜４ｂ、・・・が着脱自在に接続され、呼出元である患者や病室先看護師が呼出先の在室看護師との間で相互に通話を行うためのマイク１１０およびスピーカ１１１を備えた複数台のプレート子機、ここでは、病室毎４台ずつのプレート子機１１ａ〜１４ａ、１１ｂ〜１４ｂ、・・・と、病室毎に設置、例えば、病室の出入口近傍や廊下先に設置され個別の廊下灯番号（詳述せず）を有しており、子機ラインＬ1a〜Ｌ4a、Ｌ1b〜Ｌ4b、・・・をそれぞれ介して接続された自病室内のプレート子機１１ａ〜１４ａ、１１ｂ〜１４ｂ、・・・からの呼出種別毎で異なる呼び出しを検出し、検出された呼出情報を廊下灯ラインＬ10を介して後述するナースコール制御機４０に送出するとともに、プレート子機１１ａ〜１４ａ、１１ｂ〜１４ｂ、・・・毎に割り当てられた複数のＬＥＤ（Light Emitting Diode）等の表示部２００を備えた廊下灯２０ａ、２０ｂ、・・・と、ナースステーション内に設置されており、ナースコール制御機４０の制御によって患者や病室先看護師からの呼び出しがあることを呼出種別毎異なるパターンで報知し、これに応答した在室看護師が呼出元の患者や病室先看護師との間で相互に通話を行うとともに、看護勤務帯、例えば、日勤時、夜勤時の設定が可能なナースコール親機３０と、廊下灯ラインＬ10を介して（複数の）廊下灯２０ａ、２０ｂ、・・・、親機ラインＬ11を介してナースコール親機３０をそれぞれ接続する中継器としてナースステーション内、または病院内の共用部に設置されており、これら接続された機器をそれぞれ制御するためのナースコール制御機４０とから構成されている。
【００１５】
このように構成された本発明の実施例によるナースコール装置において、以下、具体的な動作について説明する。
【００１６】
図１のシステム説明図に示す（複数の）呼出握りボタン１ａ〜４ａ、１ｂ〜４ｂ、・・・のうち、ここでは、Ａ号室内でプレート子機１１ａが病室コンソール（メディカルコンソール）に固定されている患者がナースステーション内の在室看護師に対して通常のナースコール呼び出し、トイレ介助を要するトイレ呼び出し、点滴の投与に関する不具合や終了を知らせる等の呼出種別毎で異なる所定の呼出操作を行うと、プレート子機１１ａに子機ラインＬ1aを介して接続されている廊下灯２０ａでは、プレート子機１１ａに割り当てられている表示灯２００を呼出種別毎で異なる所定のパターンで点滅または点灯させ、Ａ号室の出入口近傍や廊下先に居る看護師に対して当該呼び出しを知らせるとともに、自廊下灯の廊下灯番号、プレート子機１１ａの子機番号、呼出種別データを付加させた呼出情報を生成する。この呼出情報は、適宜、信号処理された呼出信号として、廊下灯２０ａから廊下灯ラインＬ10を介して（廊下灯２０ａを除く）他の廊下灯２０ｂ、・・・とナースコール制御機４０とへそれぞれ伝送される。
【００１７】
なお、（廊下灯２０ａを除く）他の廊下灯２０ｂ、・・・では、廊下灯２０ａからの呼出信号がナースコール制御機４０からの出力信号でないことにより、通常、呼出信号を無効であると判断して何ら動作を行わない。
【００１８】
ナースコール制御機４０は、廊下灯２０ａからの呼出信号に付加されている呼出情報のうち、プレート子機１１ａの子機番号、呼出種別データと廊下灯番号に割り当てられて当該ナースコール制御機に予め記憶されている部屋番号をもとに、Ａ号室内でプレート子機１１ａが病室コンソール（メディカルコンソール）に固定されている患者による呼出握りボタン１ａからの呼び出しがあることを呼出種別とともに検出するばかりでなく、この呼び出しが行われた時間帯がナースコール親機３０にて予め設定され当該ナースコール親機に記憶されている看護勤務帯、すなわち、日勤時または夜勤時であるかを判断する。
【００１９】
ここで、Ａ号室内でプレート子機１１ａが病室コンソール（メディカルコンソール）に固定されている患者による呼出握りボタン１ａからの呼び出しが日勤時の呼び出しであると判断したナースコール制御機４０は、前述の検出されたＡ号室の部屋番号、廊下灯２０ａの廊下灯番号、プレート子機１１ａの子機番号および呼出種別データを付加させた呼出報知情報を生成するとともに、廊下灯２０ａの廊下灯番号、プレート子機１１ａの子機番号および日勤時を示す看護勤務帯データを付加させた呼出確認情報を生成する。これら呼出報知情報および呼出確認情報のうち、呼出報知信号は、適宜、信号処理された呼出報知信号として、ナースコール制御機４０から親機ラインＬ11を介してナースコール親機３０へと伝送される。一方、呼出確認情報は、適宜、信号処理された呼出確認信号（以下、日勤時呼出確認信号という。）として、ナースコール制御機４０から廊下灯ラインＬ10を介して全ての廊下灯２０ａ、２０ｂ、・・・へと伝送される。
【００２０】
一方、Ａ号室内でプレート子機１１ａが病室コンソール（メディカルコンソール）に固定されている患者による呼出握りボタン１ａからの呼び出しが夜勤時の呼び出しであると判断したナースコール制御機４０は、前述の検出されたＡ号室の部屋番号、廊下灯２０ａの廊下灯番号、プレート子機１１ａの子機番号および呼出種別データを付加させた呼出報知情報を生成するとともに、廊下灯２０ａの廊下灯番号、プレート子機１１ａの子機番号および夜勤時を示す看護勤務帯データを付加させた呼出確認情報を生成する。これら呼出報知情報および呼出確認情報のうち、呼出報知信号は、前述の日勤時の呼び出しと同様、適宜、信号処理された呼出報知信号としてナースコール親機３０へと伝送される。一方、呼出確認情報は、適宜、信号処理された呼出確認信号（以下、夜勤時呼出確認信号という。）として、前述の日勤時呼出確認信号と同様な経路を介してナースコール制御機４０から全ての廊下灯２０ａ、２０ｂ、・・・へと伝送される。
【００２１】
ナースコール親機３０は、ナースコール制御機４０からの呼出報知信号に付加されている呼出報知情報をもとに、Ａ号室内でプレート子機１１ａが病室コンソール（メディカルコンソール）に固定されている患者による呼出握りボタン１ａからの呼び出しがあることを呼出種別とともに検出し、その旨を報知するにあたり、呼出元のプレート子機１１ａに割り当てられている表示灯（詳述せず）を呼出種別毎で異なる所定のパターンで点滅または点灯させる、および／または具体的な呼出情報（部屋番号、子機番号、呼出種別）を文字や絵データで表示させるとともに、所定の呼出音や音声メッセージを出力させてナースステーション内の在室看護師に対して呼出報知を行うばかりでなく、この呼び出しが行われた時間帯が当該ナースコール親機にて予め設定されている看護勤務帯、すなわち、日勤時または夜勤時であるかを判断する。
【００２２】
ナースコール制御機４０からの日勤時呼出確認信号が入力された全ての廊下灯２０ａ、２０ｂ、・・・では、日勤時呼出確認信号に付加されている廊下灯番号と自廊下灯の廊下灯番号とを照合し、当該廊下灯番号が一致した場合には、日勤時におけるＡ号室内でプレート子機１１ａが病室コンソール（メディカルコンソール）に固定されている患者による呼出握りボタン１ａからの呼出種別毎で異なる呼び出しがナースコール親機３０にて正常に呼出報知されたことを検出するとともに、日勤時呼出確認信号に同様に付加されている子機番号に該当したプレート子機のスピーカ１１１から呼出確認音を出力させる。ここでは、廊下灯２０ａのみ廊下灯番号が一致し、この廊下灯２０ａに子機ラインＬ1aを介して接続されているプレート子機１１ａのスピーカ１１１から呼出確認音を出力させることにより、看護勤務形態として、日勤時に呼出握りボタン１ａを使用して呼出種別毎で異なる所定の呼出操作を行ったＡ号室内でプレート子機１１ａが病室コンソール（メディカルコンソール）に固定されている患者は、ナースステーション内の在室看護師への呼び出しが正常に行われ呼出報知されたことを聴覚によって容易に確認できる。
【００２３】
一方、ナースコール制御機４０からの夜勤時呼出確認信号が入力された全ての廊下灯２０ａ、２０ｂ、・・・では、夜勤時呼出確認信号に付加されている廊下灯番号と自廊下灯の廊下灯番号とを照合し、当該廊下灯番号が一致した場合には、夜勤時におけるＡ号室内でプレート子機１１ａが病室コンソール（メディカルコンソール）に固定されている患者による呼出握りボタン１ａからの呼出種別毎で異なる呼び出しが当該ナースコール親機にて正常に呼出報知されたことを検出するとともに、夜勤時呼出確認信号に同様に付加されている子機番号に該当したプレート子機へ着脱自在に接続された呼出握りボタンに内蔵の振動モータ１００を呼出確認のための振動パターンで駆動させる。ここでは、廊下灯２０ａのみ廊下灯番号が一致し、この廊下灯２０ａに子機ラインＬ1aを介して接続されているプレート子機１１ａへ着脱自在に接続された呼出握りボタン１ａに内蔵の振動モータ１００を呼出確認のための振動パターンで駆動させることにより、看護勤務形態として、夜勤時に呼出握りボタン１ａを使用して呼出種別毎で異なる所定の呼出操作を行ったＡ号室内でプレート子機１１ａが病室コンソール（メディカルコンソール）に固定されている患者は、ナースステーション内の在室看護師への呼び出しが正常に行われ呼出報知されたことを触覚によって容易に確認でき、前述の日勤時の呼出確認手段のように呼出確認音の出力がなく周囲近傍への静粛性も確保される。
【００２４】
なお、前述の説明では、看護勤務形態の日勤時、夜勤時を問わずして、呼出握りボタン１ａを使用して呼出種別毎で異なる所定の呼出操作を行ったＡ号室内でプレート子機１１ａが病室コンソール（メディカルコンソール）に固定されている患者に対してナースステーション内の在室看護師への呼び出しが正常に行われ呼出報知されたことを確認させるにあたり、呼出確認信号（日勤時呼出確認信号、夜勤時呼出確認信号）をナースコール親機４０にて生成したが、信号生成元はナースコール制御機４０に限定されず、Ａ号室内でプレート子機１１ａが病室コンソール（メディカルコンソール）に固定されている患者による呼出握りボタン１ａからの呼出種別毎で異なる呼び出しを検出した廊下灯２０ａ、ナースコール親機３０およびナースコール制御機４０のうち何れか１つにて呼出確認信号（日勤時呼出確認信号、夜勤時呼出確認信号）を生成させることができ、呼出握りボタン１ａに内蔵の振動モータ１００は、何れか１つからの呼出確認信号（日勤時呼出確認信号、夜勤時呼出確認信号）をもとに呼出確認のための振動パターンで駆動される。
【００２５】
次に、看護勤務形態の日勤時、夜勤時を問わずして、前述の呼出報知を確認したナースステーション内の在室看護師が応答する、例えば、ナースコール親機３０のハンドセット（符号付与せず）を取り上げて応答すると、この応答操作を検出したナースコール親機３０は、廊下灯２０ａの廊下灯番号、プレート子機１１ａの子機番号および応答データを付加させた応答確認情報を生成する。この応答確認情報は、適宜、信号処理された応答確認信号として、前述の呼出確認信号と同様な経路を介してナースコール制御機４０へと伝送される。
【００２６】
ナースコール制御機４０は、ナースコール親機３０からの応答確認信号をもとに、ナースステーション内の在室看護師により応答があったことを検出し、廊下灯ラインＬ10および親機ラインＬ11の間の通話路を形成するとともに、この応答確認信号を廊下灯ラインＬ10を介して全ての廊下灯２０ａ、２０ｂ、・・・へと送出する。
【００２７】
全ての廊下灯２０ａ、２０ｂ、・・・は、ナースコール制御機４０を介したナースコール親機３０からの応答確認信号に付加されている廊下灯番号と自廊下灯の廊下灯番号とを照合し、当該廊下灯番号が一致した場合には、ナースステーション内の在室看護師により応答があったことを検出するとともに、応答確認信号に同様に付加されている子機番号に該当したプレート子機へ着脱自在に接続された呼出握りボタンに内蔵の振動モータ１００を前述の呼出確認のための振動パターンとは異なる応答確認のための振動パターンで駆動させる。ここでは、廊下灯２０ａのみ廊下灯番号が一致し、この廊下灯２０ａに子機ラインＬ1aを介して接続されているプレート子機１１ａへ着脱自在に接続された呼出握りボタン１ａに内蔵の振動モータ１００を応答確認のための振動パターンで駆動させることにより、看護勤務形態の日勤時、夜勤時を問わずして、呼出握りボタン１ａを使用して呼出種別毎で異なる所定の呼出操作を行ったＡ号室内でプレート子機１１ａが病室コンソール（メディカルコンソール）に固定されている患者は、ナースステーション内の在室看護師により応答が行われたことを触覚によって容易に確認できる。
【００２８】
また、前述の廊下灯番号が一致した廊下灯２０ａでは、プレート子機１１ａに割り当てられている表示灯２００を通話状態を示す所定のパターンで点滅または点灯させるとともに、子機ラインＬ1aおよび廊下灯ラインＬ10の間の通話路を形成することにより、呼出元の患者が使用するプレート子機１１ａのマイク１１０およびスピーカ１１１と、子機ラインＬ1a、廊下灯２０ａ、廊下灯ラインＬ10、ナースコール制御機４０、親機ラインＬ11を介して呼出先であるナースステーション内の在室看護師が使用するナースコール親機３０のハンドセット（符号付与せず）との間の通話路が形成され、形成された通話路を介して音声信号を送受信させると相互に通話を行うことができる。
【００２９】
なお、前述の説明では、看護勤務形態の日勤時、夜勤時を問わずして、呼出握りボタン１ａを使用して呼出種別毎で異なる所定の呼出操作を行ったＡ号室内でプレート子機１１ａが病室コンソール（メディカルコンソール）に固定されている患者に対してナースステーション内の在室看護師により応答が行われたことを確認させるにあたり、応答確認信号をナースコール親機３０にて生成したが、信号生成元はナースコール親機３０に限定されず、ナースステーション内の在室看護師により応答が行われたことを検出した廊下灯２０ａ、ナースコール親機３０およびナースコール制御機４０のうち何れか１つにて応答確認信号を生成させることができ、呼出握りボタン１ａに内蔵の振動モータ１００は、何れか１つからの応答確認信号をもとに応答確認のための振動パターンで駆動される。
【００３０】
また、本発明の実施例によるナースコール装置では、図１のシステム説明図に示すように、呼出握りボタン１ａ〜４ａ、１ｂ〜４ｂ、・・・とマイク１１０およびスピーカ１１１を備えたプレート子機１１ａ〜１４ａ、１１ｂ〜１４ｂ、・・・とを着脱自在にそれぞれ接続させた構成の当該装置について説明したが、この構成に限定されず、図２のシステム説明図に示すように、呼出握りボタン１ａ〜４ａ、１ｂ〜４ｂ、・・・に着脱自在でそれぞれ接続されベッドまでの可搬性を有しており、当該呼出握りボタンと同様、呼出種別毎で異なる操作機能を有し、マイク５１０およびスピーカ５１１を備えた複数台のハンド子機、ここでは、病室毎４台ずつのハンド子機５１ａ〜５４ａ、５１ｂ〜５４ｂ、・・・を設け、このハンド子機５１ａ〜５４ａ、５１ｂ〜５４ｂ、・・・を前述のマイク１１０およびスピーカ１１１が不備とされるプレート子機１１ａ’〜１４ａ’、１１ｂ’〜１４ｂ’、・・・にそれぞれ着脱自在に接続させた構成の当該装置の適用も好適とされる。
【産業上の利用可能性】
【００３１】
本発明の実施例によるナースコール装置では、「Ａ号室」、「Ｂ号室」、・・・のような病室内に設置されるハンドボタン、プレート子機およびハンド子機を、それぞれ４台ずつとしたが、この台数に限定されず、個室として病室を使用する場合、または大部屋として病室を使用する場合には、病室毎で任意の台数を設置することができる。
【００３２】
また、本発明の実施例によるナースコール装置では、ナースステーション内に設置されるナースコール親機として１台設けたが、この台数に限定されず、ナースステーションが複数ある場合には複数台の当該ナースコール親機を設置することができる。
【００３３】
また、本発明の実施例によるナースコール装置では、病室毎に設置、例えば、病室の出入口近傍や廊下先に設置され個別の廊下灯番号（詳述せず）を有する廊下灯として、子機ラインＬ1a〜Ｌ4a、Ｌ1b〜Ｌ4b、・・・をそれぞれ介して接続されたプレート子機１１ａ〜１４ａ、１１ｂ〜１４ｂ、・・・（１１ａ’〜１４ａ’、１１ｂ’〜１４ｂ’、・・・）からの呼び出しを呼出種別毎で異なる所定のパターンで点滅または点灯させるとともに、通話状態を所定のパターンで点滅または点灯させる表示灯２００を有する廊下灯２０ａ、２０ｂ、・・・を適用したが、この構成の廊下灯に限定されず、子機ラインＬ1a〜Ｌ4a、Ｌ1b〜Ｌ4b、・・・をそれぞれ介して接続されたプレート子機１１ａ〜１４ａ、１１ｂ〜１４ｂ、・・・（１１ａ’〜１４ａ’、１１ｂ’〜１４ｂ’、・・・）からの呼び出しを呼出種別毎で異なるパターンの文字や絵データで表示させるとともに、通話状態を文字や絵データで表示するＬＣＤ（Liquid Crystal Display）、有機ＥＬ（Electroluminescence）等を有する当該廊下灯の適用も好適である。
【００３４】
さらに、本発明の実施例によるナースコール装置では、ナースコール制御機４０の制御によって呼出報知が行われる機器として、ナースステーション内に設置されたナースコール親機３０のみを適用させたが、このナースコール親機３０に限定されず、ナースコール制御機４０によって制御される複数の無線端末（携帯端末）、基地局および交換機を設け、呼出元の患者を受け持つ病院内を巡回中の看護師により携行されている無線端末（携帯端末）にて呼出報知を行うこともでき、ナースコール親機の構成としては、呼出報知機能および通話機能（詳述せず）が一体的に構成されたボード型のナースコール親機３０に限定されず、呼出報知機能および通話機能がそれぞれ分離して構成される同図（符号は付与せず）に示すようなナースコール親機の適用も好適である。
【図面の簡単な説明】
【００３５】
【図１】本発明の実施例によるナースコール装置の構成例を示すシステム説明図。
【図２】本発明の実施例によるナースコール装置の他の構成例を示すシステム説明図。
【符号の説明】
【００３６】
１ａ〜４ａ、１ｂ〜４ｂ、・・・ ……呼出握りボタン
１００……振動モータ
２０ａ、２０ｂ、・・・ ……廊下灯
３０……ナースコール親機
４０……ナースコール制御機
１１１……（プレート子機の）スピーカ
５１１……（ハンド子機の）スピーカ
【図１】
2006026293.tif 000003
【図２】
2006026293.tif 000004